(57)【要約】  本発明は、混合クッション及び混合メッシュ網を備えたコンパクト容器に関し、より詳細には、化粧料が収容される内容器の上部に排出手段を設置し、前記排出手段の上部に分配板と排出板を結合し、前記排出板の上面に混合クッションを設け、前記混合クッションの上面を覆うように混合メッシュ網を設けることにより、パフで混合メッシュ網を加圧すると、排出手段によって排出された化粧料が前記混合クッションに吸収されて均一に混合された後、前記混合メッシュ網を介して排出されてパフの下面全体に均一に付くので、ユーザーが均一に混合された化粧料を容易に使用することができるようにした、混合クッション及び混合メッシュ網を備えたコンパクト容器に関する。
2019517865.tif 000002
【特許請求の範囲】
【請求項１】
内部に化粧料が収容される内容器（１０）と、
前記内容器（１０）に収容された化粧料を排出させる排出手段（２０）と、
前記排出手段（２０）によって排出された化粧料を拡散させる分配板（３０）と、
前記分配板（３０）によって拡散された化粧料を、排出口（４２）を介して排出させる排出板（４０）と、
前記排出板（４０）に設けられ、化粧料を均一に混合する混合クッション（５０）と、
前記混合クッション（５０）を覆いながら分配板（３０）または排出板（４０）に着脱可能に結合され、中央に混合メッシュ網（６６）が備えられたリング状固定具（６０）とを含む混合クッション及び混合メッシュ網を備えたコンパクト容器。
【請求項２】
前記排出手段（２０）のポンプハウジング（２１）の外郭には、内容器結合ショルダー（１７）が形成され、前記内容器結合ショルダー（１７）の一側には、内容器結合ショルダー（１７）を開閉するショルダー蓋（７０）が結合されることを特徴とする、請求項１に記載の混合クッション及び混合メッシュ網を備えたコンパクト容器。
【請求項３】
前記排出手段（２０）は、化粧料をポンピングして外部へ排出させるポンプであることを特徴とする、請求項１に記載の混合クッション及び混合メッシュ網を備えたコンパクト容器。
【請求項４】
前記排出板（４０）の上面には、混合クッション（５０）が遊動しないようにする遊動防止環状突条（４４）が設けられることを特徴とする、請求項１に記載の混合クッション及び混合メッシュ網を備えたコンパクト容器。
【請求項５】
前記リング状固定具（６０）は、分配板（３０）または排出板（４０）に着脱可能に結合される結合部（６２）と、前記結合部（６２）の内側に延設され、混合メッシュ網（６６）が接合される接合部（６４）とからなることを特徴とする、請求項１に記載の混合クッション及び混合メッシュ網を備えたコンパクト容器。
【発明の詳細な説明】
【技術分野】
【０００１】
本発明は、混合クッション及び混合メッシュ網を備えたコンパクト容器に関し、より詳細には、化粧料が収容される内容器の上部に排出手段を設置し、前記排出手段の上部に分配板と排出板を結合し、前記排出板の上面に混合クッションを設け、前記混合クッションの上面を覆うように混合メッシュ網を設けることにより、パフで混合メッシュ網を加圧すると、排出手段によって排出された化粧料が前記混合クッションに吸収されながら均一に混合された後、前記混合メッシュ網を介して排出されてパフの下面全体に均一に付くので、ユーザーが均一に混合された化粧料を容易に使用することができるようにした、混合クッション及び混合メッシュ網を備えたコンパクト容器に関する。
【背景技術】
【０００２】
一般に、化粧品は、女性が見た目を美しくするために主に使用するもので、機能及び形態によって多種多様である。
【０００３】
上記化粧品は、ベースメーキャップ化粧品と、目、睫毛、唇などに使われるポイントメーキャップ化粧品に大別される。上記ベースメーキャップ化粧品としては、ファンデーション、チークタッチなどが挙げられ、上記ポイントメーキャップ化粧品としては、アイシャドウ、マスカラ、アイライナー、リップスティックなどが挙げられる。
【０００４】
上記ファンデーションは、化粧料の状態によって固形ファンデーション、液状ファンデーション、ゲル状ファンデーションに分けられる。固形ファンデーションの場合は、カバー力は高いものの、メイク直しの際に化粧がよれるという欠点があり、液状ファンデーションの場合は、密着感は良いものの、化粧もちが弱いという欠点がある。
【０００５】
したがって、最近では、軽い感じとしっとりとした水分感を与えてさわやかな使用感を得られるゲル状ファンデーションの使用頻度が益々高まっていく傾向である。
【０００６】
しかし、上記ゲル状ファンデーションを一般容器に充填して使用する場合、化粧をするたびに、同じ量の化粧料を取り分けて使用することができず、ユーザーの手またはパフが化粧料に繰り返し接触することによって、上記化粧料が細菌及び老廃物に汚染されてしまうという問題点があった。
【０００７】
かかる問題点を解決するために、韓国登録特許第１０−１５６６１１４号には化粧品容器が開示された。この従来技術は、図１に示すように、化粧品を外部へ排出させる排出手段と、前記排出手段から前記化粧品が排出される一側に備えられ、少なくとも一つの吐出口を備え、ユーザーがパフを接触することができるように外部に露出される吐出板とを含み、前記土出板の押圧によって排出手段から化粧品が排出されることを特徴とする。
【０００８】
しかしながら、前記従来の化粧品容器は、排出された化粧品をパフにつけて化粧をするとき、化粧品が前記パフの下面に全体的に均一に付かず、パフの下面に部分的に付いて化粧品を肌にまんべんなく伸ばして塗り付けることが難しいという問題点があった。
【０００９】
かかる問題点を解決するために、図２に示すように、本願の出願人は、韓国登録実用新案第２０−０４７０７５７号のコンパクト容器を出願し、前記従来のコンパクト容器の内部にエアレスポンプを設置し、さらに前記エアレスポンプの上端に混合部材１を備え、前記エアレスポンプによって定量的に排出された化粧料が混合部材１によって均一に混合されるようにしたものである。
【００１０】
ところが、前記従来のコンパクト容器は、混合部材１が分配部材２の上部に固設されており、前記分配部材２がエアレスポンプの上部に固定されているので、混合部材１が汚染された場合、前記混合部材１のみを別途交換することができないため、コンパクト容器全体を交換しなければならず、これにより資源が浪費され、ユーザーに経済的負担がかかるという問題点があった。
【発明の概要】
【発明が解決しようとする課題】
【００１１】
本発明は、上述したような問題点を解決するためになされたもので、その目的は、化粧料が収容される内容器の上部に排出手段を設置し、前記排出手段の上部に分配板と排出板を結合し、前記排出板の上面に混合クッションを設け、前記混合クッションの上面を覆うように混合メッシュ網を設けることにより、パフで混合メッシュ網を加圧すると、排出手段によって排出された化粧料が前記混合クッションに吸収されて均一に混合された後、前記混合メッシュ網を介して排出されてパフの下面全体に均一に付くので、ユーザーが均一に混合された化粧料を容易に使用することができるようにした、混合クッション及び混合メッシュ網を備えたコンパクト容器を提供することにある。
【００１２】
本発明の他の目的は、混合メッシュ網をリング状固定具の内側に接合し、前記リング状固定具が混合クッションを固定させるとともに分配板または排出板に着脱されるように形成することにより、前記混合クッションが汚染された場合、前記リング状固定具を分配板から分離するだけで、簡単に混合クッションを交換することができる、混合クッション及び混合メッシュ網を備えたコンパクト容器を提供することにある。
【課題を解決するための手段】
【００１３】
本発明は、内部に化粧料が収容される内容器１０と、
前記内容器１０に収容された化粧料を排出させる排出手段２０と、
前記排出手段２０によって排出された化粧料を拡散させる分配板３０と、
前記分配板３０によって拡散された化粧料を、排出口４２を介して排出させる排出板４０と、
前記排出板４０に設けられ、化粧料を均一に混合する混合クッション５０と、
前記混合クッション５０を包みながら分配板３０または排出板４０に着脱可能に結合され、中央に混合メッシュ網６６が備えられたリング状固定具６０とを含む、混合クッション及び混合メッシュ網を備えたコンパクト容器を提供する。
【００１４】
また、前記内容器１０の外側には、外容器８０及び前記外容器８０を開閉する外容器蓋９０が、さらに結合されることを特徴とする。
【００１５】
また、前記排出手段２０のポンプハウジング２１の外郭には、内容器結合ショルダー１７が形成され、前記内容器結合ショルダー１７の一側には、内容器結合ショルダー１７を開閉するショルダー蓋７０が結合されることを特徴とする。
【００１６】
また、前記排出手段２０は、化粧料をポンピングして外部へ排出させるポンプでもよい。
【００１７】
また、前記排出板４０の上面には、混合クッション５０が遊動しないようにする遊動防止環状突条４４が設けられてもよい。
【００１８】
また、前記混合クッション５０は、ＢＲ（Ｂｕｔａｄｉｅｎｅ  Ｒｕｂｂｅｒ）、ＳＢＲ（Ｓｔｙｒｅｎｅ  Ｂｕｔａｄｉｅｎｅ  Ｒｕｂｂｅｒ）、ＮＲ（Ｎａｔｕｒａｌ  Ｒｕｂｂｅｒ）、湿式ウレタン、乾式ウレタン、ポリエーテル、ポリエステル、ポリ塩化ビニル、ポリエチレン、エチレン酢酸ビニル（Ｅｔｈｙｌｅｎｅ  Ｖｉｎｙｌ  Ａｃｅｔａｔｅ）、ラテックス、シリコーン、ポリスチレン−ポリイソプレン−ポリスチレン（ＰｏｌｙＳｔｙｒｅｎｅ  ＰｏｌｙＩｓｏｐｒｅｎｅ  ＰｏｌｙＳｔｙｒｅｎｅ）、ポリスチレン−ポリエチレンブチレン−ポリスチレン（ＰｏｌｙＳｔｙｒｅｎｅ  ＰｏｌｙＥｔｈｙｌｅｎｅ  Ｂｕｔｙｌｅｎｅ  ＰｏｌｙＳｔｙｒｅｎｅ）、ＰＶＡ（ＰｏｌｙＶｉｎｙｌ  Ａｌｃｏｈｏｌ）、シリコーン製エラストマー、ニトリルゴム、ブチルゴムおよびネオプレンよりなる群から選択された１種以上の材質で形成されることが好ましい。
【００１９】
また、前記リング状固定具６０は、分配板３０または排出板４０に着脱可能に結合される結合部６２と、前記結合部６２の内側に延設され、混合メッシュ網６６が接合される接合部６４とからなることを特徴とする。
【発明の効果】
【００２０】
本発明に係る混合クッション及び混合メッシュ網を備えたコンパクト容器は、化粧料が収容される内容器の上部に排出手段を設置し、前記排出手段の上部に分配板と排出板を結合し、前記排出板の上面に混合クッションを設け、前記混合クッションの上面を覆うように混合メッシュ網を設けることにより、パフで混合メッシュ網を加圧すると、排出手段によって排出された化粧料が前記混合クッションに吸収されて均一に混合された後、前記混合メッシュ網を介して排出されてパフの下面全体に均一に付くので、ユーザーが均一に混合された化粧料を容易に使用することができる効果がある。
【００２１】
また、本発明に係る混合クッション及び混合メッシュ網を備えたコンパクト容器は、混合メッシュ網をリング状固定具の内側に接合し、前記リング状固定具が混合クッションを固定させるとともに分配板または排出板に着脱されるように形成することにより、前記混合クッションが汚染された場合、前記リング状固定具を分配板から分離するだけで簡単に混合クッションを交換することができる効果がある。
【図面の簡単な説明】
【００２２】
【図１】従来の化粧品容器を示す図である。
【図２】従来のコンパクト容器を示す図である。
【図３】本発明に係る混合クッション及び混合メッシュ網を備えたコンパクト容器の斜視図である。
【図４】本発明に係る混合クッション及び混合メッシュ網を備えたコンパクト容器の分解斜視図である。
【図５】本発明に係る混合クッション及び混合メッシュ網を備えたコンパクト容器の断面図である。
【図６】本発明に係る混合クッション及び混合メッシュ網を備えたコンパクト容器の排出板が加圧されて化粧料が排出される様子を示す断面図である。
【図７】本発明に係る混合クッション及び混合メッシュ網を備えたコンパクト容器の排出板の加圧が解除されて化粧料がシリンダーの内部に流入される様子を示す断面図である。
【図８】本発明に係る混合クッション及び混合メッシュ網を備えたコンパクト容器の分配板と混合クッションとリング状固定具が排出板に結合される様子を示す部分斜視図である。
【発明を実施するための形態】
【００２３】
以下、本発明に係る混合クッション及び混合メッシュ網を備えたコンパクト容器の一実施形態について、添付図面を参照して説明する。
【００２４】
図３は本発明に係る混合クッション及び混合メッシュ網を備えたコンパクト容器の斜視図であり、図４は本発明に係る混合クッション及び混合メッシュ網を備えたコンパクト容器の分解斜視図であり、図５は本発明に係る混合クッション及び混合メッシュ網を備えたコンパクト容器の断面図である。
【００２５】
本発明に係る混合クッション及び混合メッシュ網を備えたコンパクト容器は、内部に化粧料が収容される内容器１０と、前記内容器１０に収容された化粧料を排出させる排出手段２０と、前記排出手段２０によって排出された化粧料を拡散させる分配板３０と、前記分配板３０によって拡散された化粧料を、排出口４２を介して排出させる排出板４０と、前記排出板４０に設けられ、化粧料を均一に混合する混合クッション５０と、前記混合クッション５０を覆いながら分配板３０または排出板４０に着脱可能に結合され、中央に混合メッシュ網６６が備えられたリング状固定具６０とを含む。
【００２６】
前記内容器１０の内部にはゲル状または液状の化粧料が収容され、前記内容器１０は、内容器底面１２と、前記内容器底面１２から上方に延設された内壁１４と、前記内壁１４から外方に一定間隔離隔して上方に延設された外壁１６とからなる。
【００２７】
前記内容器１０の内容器底面１２には、外部の空気が流入する空気流通ホール１２２が設けられる。
【００２８】
前記内容器１０の外壁１６の内周縁には結合溝１６２が形成され、ポンプハウジング２１が結合される。
【００２９】
前記内容器１０の内側には、化粧料を上方に押し上げる押し板１８が形成され、前記押し板１８は、内容器１０の内側面に密着される。
【００３０】
前記内容器１０の外側には、外容器８０及び前記外容器８０を開閉する外容器蓋９０がさらに結合される。
【００３１】
前記外容器８０の前面にはボタン８２が形成され、前記ボタン８２の上部には、ユーザーの押圧動作により後退する係止突起８２２が突設される。
【００３２】
前記外容器８０の内側には、排出手段２０のポンプハウジング２１を押して固定させる内容器結合ショルダー１７が結合される。前記外容器８０内周縁には第１装着突起８４が形成され、前記内容器結合ショルダー１７の外周縁には第２装着突起１７４が形成されることにより、互いにアンダーカット結合される。
【００３３】
前記内容器結合ショルダー１７の一側には、内容器結合ショルダー１７を開閉するショルダー蓋７０がヒンジ結合される。
【００３４】
前記外容器蓋９０は、外容器８０の一側にヒンジ結合されて前記外容器８０を開閉する。
【００３５】
前記外容器蓋９０の一側には、前記外容器８０の係止突起８２２と対応する位置に突起形状のフック９２が形成され、前記外容器８０の係止突起８２２に締結される。
【００３６】
前記排出手段２０は、内容器１０の上部に結合され、内容器１０の内部に収容された化粧料を外部へ排出させる。
【００３７】
前記排出手段２０は、内容器１０の内部に収容された化粧料をポンピングして外部へ排出させるポンプでもよい。
【００３８】
前記排出手段２０は、内容器１０の上部に結合されるポンプハウジング２１と、前記ポンプハウジング２１の中央に設けられ、底面に内容物吸入孔２８を有するシリンダー２２と、前記シリンダー２２の底面に装着され、前記内容物吸入孔２８を選択的に開閉する吸入弁板２３と、前記シリンダー２２の上端に載置され、シリンダー２２の外側に結合されるブッシング２４と、前記ブッシング２４の上部に装着されて分配板３０を弾力支持する弾性部材２５と、前記シリンダー２２の内側に設けられて上下移動するピストン２６と、前記ピストン２６の外側に嵌められ、前記シリンダー２２の内側面に密着するピストンリング２７とから構成できる。
【００３９】
前記ポンプハウジング２１は、内容器１０の上部に結合されて前記内容器１０を密閉させる役割を果たし、前記ポンプハウジング２１の中央には、シリンダー２２が形成され、前記シリンダー２２の外側には、ブッシング２４の設置されるブッシング設置空間２１４が設けられる。
【００４０】
前記ブッシング設置空間２１４の外側には第１締結環状突条２１６が設けられ、前記ブッシュ２４の外周縁には第２締結環状突条２４６が設けられ、前記第１締結環状突条２１６とアンダーカット結合される。
【００４１】
前記ポンプハウジング２１の外側には下部延長環状突条２１８が下方に延設され、前記下部延長環状突条２１８の外周縁には結合突起２１８ａが設けられ、前記内容器１０の結合溝１６２に結合され、前記結合突起２１８ａの上側には、内容器結合ショルダー１７によって押圧される固定環状突条２１８ｂが突設される。
【００４２】
前記ブッシング２４の中央には、ピストン２６及び前記ピストンリング２７が貫通する貫通孔２４２が設けられ、前記貫通孔２４２の内側には内側水平延長片２４４が延設され、前記貫通孔２４２の外側には多数の弾性部材装着部２４８が設けられる。
【００４３】
前記ブッシング２４の上部内側には、分配板３０がコンパクト容器から離脱することを防止する第１係止あご部２４７が形成される。
【００４４】
前記分配板３０は、排出手段２０の上部に結合されて上下移動しながら前記排出手段２０を加圧するとともに、前記排出手段２０によって排出された化粧料を広く拡散させる。
【００４５】
前記分配板３０の中央部分には、排出手段２０によって排出された化粧料が通過する排出通路３１が設けられ、前記排出通路３１の外側には、排出通路３１を通過した化粧料が広く広がるようにする拡散空間３２が設けられ、前記拡散空間３２の外側には、組立溝３３が設けられる。
【００４６】
前記分配板３０の下部には第１下部延長環状突条３６が延設され、前記第１下部延長環状突条３６は排出手段２０のピストン２６に結合される。
【００４７】
前記第１下部延長環状突条３６の外側に一定間隔に離隔して第２下部延長環状突条３７が下方に延設され、前記第２下部延長環状突条３７は排出手段２０のピストンリング２７の外側に嵌められる。
【００４８】
前記第２下部延長環状突条３７の外側には、分配板３０がコンパクト容器からの離脱を防止する離脱防止部３８が設けられる。前記離脱防止部３８の下側には第２係止あご部３８２が設けられ、前記ブッシング２４の第１係止あご部２４７と締結される。
【００４９】
前記排出板４０は、分配板３０の上部に結合され、前記分配板３０によって拡散された化粧料を、排出口４２を介して排出させる。
【００５０】
前記排出板４０の排出口４２は、分配板３０の拡散空間３２と対応する位置に放射状に形成される。
【００５１】
前記排出板４０の上面には、排出板４０に装着された混合クッション５０が遊動しないようにする遊動防止環状突条４４が設けられてもよい。
【００５２】
すなわち、前記混合クッション５０は排出板４０の上部にのせられているので、ユーザーが、パフＰを用いて、混合クッション５０を覆っている混合メッシュ網６６を押したり擦ったりする場合、前記混合クッション５０が遊動するおそれがあり、これを防止するために、前記排出板４０の上面に遊動防止環状突条４４を突設して混合クッション５０の下面を保持するようにした。
【００５３】
前記排出板４０の下部には組立突起４３が設けられ、前記組立突起４３は、分配板３０の組立溝３３に嵌め込まれ、前記排出板４０が分配板３０に対して空回転することを防止する。
【００５４】
前記混合クッション５０は、排出板４０の上部に装着され、排出手段２０によって排出された化粧料を均一に混合する役割を果たす。
【００５５】
前記混合クッション５０は、ＢＲ（Ｂｕｔａｄｉｅｎｅ  Ｒｕｂｂｅｒ）、ＳＢＲ（Ｓｔｙｒｅｎｅ  Ｂｕｔａｄｉｅｎｅ  Ｒｕｂｂｅｒ）、ＮＲ（Ｎａｔｕｒａｌ  Ｒｕｂｂｅｒ）、湿式ウレタン、乾式ウレタン、ポリエーテル、ポリエステル、ポリ塩化ビニル、ポリエチレン、エチレン酢酸ビニル（Ｅｔｈｙｌｅｎｅ  Ｖｉｎｙｌ  Ａｃｅｔａｔｅ）、ラテックス、シリコーン、ポリスチレン−ポリイソプレン−ポリスチレン（ＰｏｌｙＳｔｙｒｅｎｅ  ＰｏｌｙＩｓｏｐｒｅｎｅ  ＰｏｌｙＳｔｙｒｅｎｅ）、ポリスチレン−ポリエチレンブチレン−ポリスチレン（ＰｏｌｙＳｔｙｒｅｎｅ  ＰｏｌｙＥｔｈｙｌｅｎｅ  Ｂｕｔｙｌｅｎｅ  ＰｏｌｙＳｔｙｒｅｎｅ）、ＰＶＡ（ＰｏｌｙＶｉｎｙｌ  Ａｌｃｏｈｏｌ）、シリコーン製エラストマー、ニトリルゴム、ブチルゴムおよびネオプレンよりなる群から選択された１種以上の材質で形成されることが好ましい。
【００５６】
前記リング状固定具６０の中央には混合メッシュ網６６が備えられ、前記リング状固定具６０は、混合クッション５０を覆いながら分配板３０または排出板４０に着脱可能に結合される。
【００５７】
すなわち、ユーザーがパフＰで混合メッシュ網６６を加圧すると、排出手段２０によって排出された化粧料が混合クッション５０に吸収されて均一に混合された後、前記混合メッシュ網６６を介して排出されてパフＰの下面全体に均一にくっ付くので、ユーザーが均一に混合された化粧料を容易に使用することができる。
【００５８】
前記リング状固定具６０は、分配板３０または排出板４０に着脱可能に結合される結合部６２と、前記結合部６２の内側に延設されて混合メッシュ網６６が接合される接合部６４とからなる。
【００５９】
図８は本発明に係る混合クッション及び混合メッシュ網を備えたコンパクト容器の分配板と混合クッションとリング状固定具が排出板に結合される様子を示す部分斜視図である。
【００６０】
前記結合部６２の内周縁には第１着脱突起６２５が設けられ、前記分配板３０の外周縁には第２着脱突起３５が設けられることにより、互いにアンダーカット結合されてもよい。
【００６１】
前記分配板３０と排出板４０と混合クッション５０とリング状固定具６０の結合構造をより詳しく考察すると、図８に示すように、まず分配板３０の上部に排出板４０を嵌め込み、前記排出板４０の上面に混合クッション５０を装着させた後、リング状固定具６０に接合された混合メッシュ網６６で前記混合クッション５０の上部を覆いながら前記リング状固定具６０を分配板３０または排出板４０に着脱可能に結合する。
【００６２】
すなわち、上述したように、リング状固定具６０が混合クッション５０を固定させるとともに、分配板３０または排出板４０に着脱されるようにすることにより、前記混合クッション５０が汚染された場合に、前記リング状固定具６０を分配板３０から分離させるだけで、簡単に混合クッション５０を交換することができ、前記リング状固定具６０の混合メッシュ網６６を水または洗剤で洗浄して再利用することができる。
【００６３】
前記接合部６４は、リング状固定具６０が分配板３０または排出板４０に結合されたとき、混合クッション５０の上面を押して固定させる役割を果たす。
【００６４】
前記接合部６４の下面には混合メッシュ網６６が接合され、前記混合メッシュ網６６は、接合部６４に超音波接合または高周波接合または熱接合されるか、接着剤によって接着されることができる。
【００６５】
前記ショルダー蓋７０は、内容器結合ショルダー１７の一側にヒンジ結合されて開閉される。そして、前記ショルダー蓋７０は、混合クッション５０が外部に露出されて汚染されたり水分が蒸発されたりすることを防止する。
【００６６】
前記ショルダー蓋７０の上部にはパフ収容空間７２が形成され、前記ショルダー蓋７０の一側には、ユーザーが容易に掴むことができるように取っ手７４が設けられてもよい。
【００６７】
前記ショルダー蓋７０の下側には、密閉環状突条７６が下方に延設されて内容器結合ショルダー１７の上部内周縁に密着する。
【００６８】
上述のように構成された、混合クッションと混合メッシュ網を備えるコンパクト容器の組み立て方法について、添付図面を参照して説明する。
【００６９】
本発明に係る混合クッションと混合メッシュ網を備えるコンパクト容器を組み立てるためには、まず、図４及び図５に示すように、一側に外容器蓋９０がヒンジ結合された外容器８０の内部に内容器１０を装着する。
【００７０】
次に、前記内容器１０の内部に押し板１８を差し込み、化粧料を注入した後、前記内容器１０の上部に排出手段２０のポンプハウジング２１を結合させて、前記ポンプハウジング２１の下部延長環状突条２１８が内容器１０の内壁１４と外壁１６との間に挟まれるとともに、前記下部延長環状突条２１８の結合突起２１８ａが前記内容器１０の結合溝１６２に結合される。
【００７１】
その後、前記ポンプハウジング２１の上部に吸入弁板２３、ブッシング２４、弾性部材２５、ピストン２６及びピストンリング２７を設置し、前記排出手段２０の上部に分配板３０を結合し、前記分配板３０の離脱防止部３８に設けられた第２係止あご部３８２が、排出手段２０のブッシング２４に設けられた第１係止あご部２４７と締結される。
【００７２】
これと同時に、前記分配板３０の第１下部延長環状突条３６と第２下部延長環状突条３７がそれぞれ排出手段２０のピストン２６とピストンリング２７に結合されるようにする。
【００７３】
次に、一側にショルダー蓋７０がヒンジ結合された内容器結合ショルダー１７を外容器８０の内側に結合し、前記内容器結合ショルダー１７がポンプハウジング２１の上部を押して固定させるようにしながら、前記内容器結合ショルダー１７の第２装着突起１７４が外容器８０の第１装着突起８４と結合される。
【００７４】
その後、図８に示すように、前記分配板３０の上部に排出板４０を結合した後、前記排出板４０の上部に混合クッション５０を装着する。
【００７５】
最後に、リング状固定具６０に接合された混合メッシュ網６６で前記混合クッション５０の上部を覆いながら、前記リング状固定具６０を分配板３０または排出板４０に着脱可能に結合し、前記リング状固定具６０の第１着脱突起６２５が分配板３０の第２着脱突起３５に結合されるようにして、本発明に係る混合クッション及び混合メッシュ網を備えたコンパクト容器の組み立てを完了する。
【００７６】
前述したような方法で組み立てられた、混合クッション及び混合メッシュ網を備えたコンパクト容器の使用方法について、添付図面を参照して説明する。
【００７７】
図６は本発明に係る混合クッション及び混合メッシュ網を備えたコンパクト容器の排出板が加圧されて化粧料が排出される様子を示す断面図であり、図７は本発明に係る混合クッション及び混合メッシュ網を備えたコンパクト容器の排出板の加圧が解除されて化粧料がシリンダーの内部に流入する様子を示す断面図である。
【００７８】
本発明に係る混合クッション及び混合メッシュ網を備えたコンパクト容器を使用するためには、まず、図６に示すように、パフＰなどのメイク道具で混合メッシュ網６６と混合クッション５０を加圧する。
【００７９】
前記混合メッシュ網６６と混合クッション５０が加圧されると、前記混合クッション５０の下側に位置した排出板４０と分配板３０とが一緒に下方に移動されるとともに、前記分配板３０の下側に結合された排出手段２０のピストン２６とピストンリング２７とも一緒に下方に移動されて、シリンダー２２の内部の体積が減少される。
【００８０】
これにより、シリンダー２２の内部に圧力が発生し、前記圧力でシリンダー２２内の化粧料が外部へ吐出されようとすることにより吐出圧力が発生し、吸入弁板２３が前記シリンダー２２の底面に形成された内容物吸入孔２８を閉鎖させる。
【００８１】
これと同時に、図６の拡大図に示すように、シリンダー２２内に収容されていた化粧料が、ピストン２６とピストンリング２７との間から出て分配板３０の排出通路３１を通過した後、前記分配板３０の拡散空間３２を通って排出板４０の排出口４２へ排出される。
【００８２】
その後、排出された化粧料は、混合クッション５０に吸収されながら均一に混合された後、混合メッシュ網６６を介して外部へ排出され、パフの下面全体に均一にくっ付くことになる。
【００８３】
その後、図７に示すように、前記混合メッシュ網６６と混合クッション５０の加圧を解除すると、前記分配板３０を弾力支持する弾性部材２５の弾性によって、分配板３０が上方に移動し、前記分配板３０の下側に結合されているピストン２６とピストンリング２７も一緒に上方に移動することになり、シリンダー２２の内部の体積が大きくなって真空圧が発生する。
【００８４】
これと同時に、前記シリンダー２２の内部に発生した真空圧によって吸入弁板２３が持ち上げられながら、シリンダー２２の底面に設けられた内容物吸入孔２８が開放され、これにより、内容器１０の内部に収容されていた化粧料が前記内容物吸入孔２８を介してシリンダー２２の内部に流入するとともに、前記内容器１０の内部に設置された押し板１８が上方に移動する。
【００８５】
また、前記混合クッション５０が汚染された場合には、汚染された混合クッション５０を新しい混合クッション５０と交換する。具体的には、まず、分配板３０からリング状固定具６０を分離させ、汚染された混合クッション５０を除去して、その後、図８に示すように、新しい混合クッション５０を排出板４０の上面に載置し、前記リング状固定具６０に接合された混合メッシュ網６６を水または洗剤で洗浄して乾燥させた後に前記リング状固定具６０を分配板３０または排出板４０に結合し、リング状固定具６０に接合された混合メッシュ網６６で前記混合クッション５０の上部を覆いながら前記リング状固定具６０を分配板３０または排出板４０に結合することにより、本発明に係る混合クッションと混合メッシュ網を備えるコンパクト容器の混合クッション５０の交換を完了する。
【００８６】
以上、本発明で説明したのは、混合クッション及び混合メッシュ網を備えたコンパクト容器を実施するための一つの実施形態に過ぎないもので、 本発明は、前記実施形態に限定されるものではない。添付された請求の範囲で請求するように、本発明の要旨を逸脱することなく当該発明の属する分野における通常の知識を有する者であれば誰でも様々な変更実施が可能な範囲まで本発明の範囲に属するものと理解されるべきである。
【符号の説明】
【００８７】
１０    内容器
１７    内容器結合ショルダー
２０    排出手段
２１    ポンプハウジング
３０    分配板
３１    排出通路
３２    拡散空間
４０    排出板
４２    排出口
４４    遊動防止環状突条
５０    混合クッション
６０    リング状固定具
６２    結合部
６４    接合部
６６    混合メッシュ網
７０    ショルダー蓋
８０    外容器
９０    外容器蓋
【図１】
2019517865.tif 000003
【図２】
2019517865.tif 000004
【図３】
2019517865.tif 000005
【図４】
2019517865.tif 000006
【図５】
2019517865.tif 000007
【図６】
2019517865.tif 000008
【図７】
2019517865.tif 000009
【図８】
2019517865.tif 000010
【国際調査報告】
2019517865.tif 000011
2019517865.tif 000012
2019517865.tif 000013
2019517865.tif 000014